(57)【要約】【課題】付勢力により集塵蓋を開放する構成において、係止手段によらずに気密状態を保て、開放時に都度係止手段を開放する必要がない勝手のよい電気掃除機を提供する。【解決手段】開口部を有する集塵室９と、本体１に回動自在に取付けられ、前記開口部を開閉自在に覆う集塵蓋（集塵部蓋）１０と、集塵蓋１０を付勢する付勢手段１２とを備え、付勢手段１２は、集塵蓋１０が閉止状態近傍では集塵蓋１０を閉止方向に付勢し、閉止状態近傍以外では集塵蓋１０を開放方向に付勢することを特徴とするもので、係止部を設けなくても、気密状態を保て、開放する場合にも集塵蓋をわずかに引き上げるだけで開放できるもので、使い勝手の高い電機掃除機を提供できるものである。【選択図】図３
2007159693.tif 000002
【特許請求の範囲】
【請求項１】
吸引風を発する電動送風機と、前記電動送風機を内蔵する本体と、開口部を有する集塵室と、前記本体に回動自在に取付けられ、前記開口部を開閉自在に覆う集塵部蓋と、前記集塵部蓋を付勢する付勢手段とを備え、前記付勢手段は、前記集塵部蓋が閉止状態近傍では前記集塵部蓋を閉止方向に付勢し、閉止状態近傍以外では前記集塵部蓋を開放方向に付勢することを特徴とした電気掃除機。
【請求項２】
付勢手段は、集塵蓋閉止状態近傍では開口部を閉止する方向に位置し、前記集塵蓋を開いていくと、回動軸をこえて移動し、集塵蓋を開放する付勢力が作用する位置に配置されることを特徴とした請求項１記載の電気掃除機。
【請求項３】
付勢手段をねじりコイルバネで構成し、回動軸近傍、左右方向略中心に配置した請求項１または２記載の電気掃除機。
【発明の詳細な説明】
【技術分野】
【０００１】
本発明は、集塵室開口部を覆う集塵部蓋を付勢力により開放する電気掃除機に関するものである。
【背景技術】
【０００２】
従来のこの種の電気掃除機として、常に開放方向に付勢するような付勢手段を備えたものがあった（例えば、特許文献１参照）。
【特許文献１】実開平５−２５５６２号公報
【発明の開示】
【発明が解決しようとする課題】
【０００３】
しかしながら、上記従来の構成では、集塵室開口部を集塵部蓋で覆い、機密性を保つためには、閉止状態を保つために係止手段が必要であり、開放時に余計な操作が発生するとともに、部品を多くしてしまっていた。
【０００４】
本発明は上記従来の課題を解決するもので、係止手段によらずに気密状態を保て、開放時に都度係止手段を開放する必要がない勝手のよい電気掃除機を提供することを目的とする。
【課題を解決するための手段】
【０００５】
上記従来の課題を解決するために、本発明の電気掃除機は、吸引風を発する電動送風機と、前記電動送風機を内蔵する本体と、開口部を有する集塵室と、前記本体に回動自在に取付けられ、前記開口部を開閉自在に覆う集塵部蓋と、前記集塵部蓋を付勢する付勢手段とを備え、前記付勢手段は、前記集塵部蓋が閉止状態近傍では前記集塵部蓋を閉止方向に付勢し、閉止状態近傍以外では前記集塵部蓋を開放方向に付勢することで、係止部を設けなくても、気密状態を保て、開放する場合にも蓋をわずかに引き上げるだけで開放できるものである。
【発明の効果】
【０００６】
本発明の電気掃除機は、集塵部蓋の開閉が容易で、使い勝手のよい電気掃除機を提供することができる。
【発明を実施するための最良の形態】
【０００７】
第１の発明は、吸引風を発する電動送風機と、前記電動送風機を内蔵する本体と、開口部を有する集塵室と、前記本体に回動自在に取付けられ、前記開口部を開閉自在に覆う集塵部蓋と、前記集塵部蓋を付勢する付勢手段とを備え、前記付勢手段は、前記集塵部蓋が閉止状態近傍では前記集塵部蓋を閉止方向に付勢し、閉止状態近傍以外では前記集塵部蓋を開放方向に付勢するもので、付勢手段は、閉止状態近傍では集塵部蓋を閉止方向に付勢することで、係止部を設けなくても、気密状態を保て、開放する場合にも蓋をわずかに引き上げるだけで開放できるもので、使用性の高い掃除機を提供できるものである。
【０００８】
第２の発明は、第１の発明の付勢手段は、集塵蓋閉止状態近傍では開口部を閉止する方向に位置し、集塵蓋を開いていくと、回動軸をこえて移動し、集塵蓋を開放する付勢力が作用する位置に配置することで、１つの付勢手段で逆方向への付勢力を実現できるものである。
【０００９】
第３の発明は、第１または第２の発明の付勢手段をねじりコイルバネ構成し、集塵部蓋の略中心線に配置することで、回動時にこじれを発生することがなく確実に蓋を動作することができ、ねじりコイルバネを使用することで、小さな空間で対抗する不勢力を得るものである。
【００１０】
以下、本発明の実施の形態について、図面を参照しながら説明する。なお、この実施の形態によりこの発明が限定されるものではない。
【００１１】
（実施の形態１）
本発明の第１の実施の形態における電気掃除機について、図１〜図６を用いて説明する。図１は本実施の形態における電気掃除機の全体斜視図、図２は同電気掃除機本体の斜視図、図３は同電気掃除機の集塵部蓋開放時点の本体斜視図を示す。
【００１２】
図１、２において、１は掃除機本体で電動送風機（図示せず）、集塵手段（図示せず）を内蔵し、掃除機本体１の前部には、ホース２の一端に設けた接続パイプ３が着脱自在に接続される吸入口４が設けられている。ホース２の他端には、掃除の際に握る把手部５を備えた手元握りパイプ６が設けられている。７は伸縮自在或いは継ぎ自在の吸引管で、下流側端部が前記手元握りパイプに着脱自在に接続され、他端は、床用吸込み具８に着脱自在で接続される。
【００１３】
図３において、掃除機本体１は、集塵室９を有し、集塵室９を開閉自在に覆う集塵蓋１０を設けている。また集塵室９内には、塵埃を捕集する集塵袋（図示せず）が着脱自在に設けられており、集塵蓋１０は回動軸１１により本体１に回動自在に取付けられており、回動軸１１の近傍には、付勢手段としてねじりコイルバネ１２が設けられている。
【００１４】
図４、５、６は、閉止状態から開放状態にいたる集塵蓋１０とねじりコイルバネ１２の関係を表した模式図を示す。
【００１５】
図７は開放状態の本体側面図を示す。
【００１６】
上記構成による作用は以下の通りである。
【００１７】
使用状態、または保管状態においては、ねじりコイルバネ１２の付勢力作用点１３は、集塵蓋１０の回動軸１１よりも後方にあるため、回動軸１１の前方では、係止方向への不勢力が作用する。この不勢力により、集塵室９開口部は集塵蓋１０で気密に保たれている。バネの付勢力によって係止状態を保持できるため、集塵蓋１０を係止するための系支部は不要である。
【００１８】
集塵蓋１０を開放する場合には、集塵蓋１０を引き上げることで、ねじりコイルバネ１２には前に移動する力が働き、バネの移動に伴ってねじりコイルバネ１２の付勢力作用点１３は回動軸１１よりも前方に移動し、集塵蓋１０には開放方向への付勢力が作用することで、集塵蓋１０を開放し、集塵袋の取り出しを容易にするものである。集塵蓋１０を閉める場合の、集塵蓋１０とねじりコイルバネ１２の関係は開放する場合の逆となる。
【００１９】
閉止状態から９０度以上開いた状態を開放状態とすることで、集塵袋の取り出しが容易になる。
【００２０】
（実施の形態２）
図８は本発明の第２の実施の形態における電気掃除機の側面図である。なお、上記実施の形態１と同一部分については同一符号を付してその説明を省略する。
【００２１】
本実施の形態は図に示すように、閉止状態から約２０ｍｍ開いた状態までを閉止方向への不勢力が働く状態としたもので、開放時に２０ｍｍ引き上げるだけで、以降は不勢力により開放され使い勝手がよく、閉止状態では、２０ｍｍの余裕を設けることで、段差等の衝撃により開いてしまうことを防止できる。
【００２２】
（実施の形態３）
図９は本発明の第３の実施の形態における電気掃除機の上面図を示す。なお、上記実施の形態１と同一部分については、同一符号を付してその説明を省略する。
【００２３】
本実施の形態は図に示すように、開放状態で上から見た場合に集塵室９の開口部が完全に露出するように構成したもので、集塵袋の取り出しを容易にするものである。
【産業上の利用可能性】
【００２４】
以上のように、本発明にかかる電気掃除機用は、集塵部蓋の開閉が容易で、使い勝手がよく、家庭用だけでなく、業務用等、幅広く適用できるものである。
【図面の簡単な説明】
【００２５】
【図１】本発明の実施の形態１における電気掃除機の全体斜視図
【図２】同電気掃除機の掃除機本体の斜視図
【図３】同電気掃除機の集塵蓋開放状態の断面図
【図４】同電気掃除機の閉止状態の集塵蓋とねじりコイルバネの関係図
【図５】同電気掃除機の開放途中の集塵蓋とねじりコイルバネの関係図
【図６】同電気掃除機の開放状態の集塵蓋とねじりコイルバネの関係図
【図７】同電気掃除機の集塵蓋開放状態の側面図
【図８】本発明の実施の形態２における電器掃除機本体の側面図
【図９】本発明の実施の形態３における電気掃除機の斜視図
【符号の説明】
【００２６】
１    本体
２    ホース
３    接続パイプ
４    吸入口
５    把手部
６    手元握りパイプ
７    吸引管
８    床用吸込み具
９    集塵室
１０  集塵蓋
１１  回動軸
１２  ねじりコイルバネ（付勢手段）
１３  付勢力作用点
【図１】
2007159693.tif 000003
【図２】
2007159693.tif 000004
【図３】
2007159693.tif 000005
【図４】
2007159693.tif 000006
【図５】
2007159693.tif 000007
【図６】
2007159693.tif 000008
【図７】
2007159693.tif 000009
【図８】
2007159693.tif 000010
【図９】
2007159693.tif 000011